(57)【特許請求の範囲】
【請求項１】
二輪車に取り付けられる子供用椅子であって、
着座可能な椅子本体と、
前記椅子本体に設けられたレール部に沿って上下方向にスライド可能に設けられ、両サイドが前方に湾曲しながら突出する翼部で肩部を保護するショルダーガード部と、前記ショルダーガード部の上方で頭部を保護するヘッドガード部とを備えたガード本体と、
前記ガード本体を上下方向にスライドさせて前記レール部の所定の位置で固定する高さ調整機構と、
を有すると共に、
前記ヘッドガード部の内側に形成されたヘッドガード面が、前記ショルダーガード部の内側に形成されたショルダーガード面より後退していることを特徴とする子供用椅子。
【請求項２】
前記椅子本体の中央部に形成された前記レール部と前記椅子本体の側面部の両端部に、前記ガード本体を前記椅子本体に対してスライド方向に案内するスライド案内部を備えることを特徴とする請求項１に記載の子供用椅子。
【請求項３】
前記スライド案内部は、前記椅子本体又は前記ガード本体の一方に設けられ、前記ガード本体のスライド方向に形成されたスライド孔と、
前記椅子本体又は前記ガード本体の他方に設けられ、前記スライド孔に移動可能に係止されるガイドピンと、
を有することを特徴とする請求項２に記載の子供用椅子。
【請求項４】
前記ヘッドガード面の内側幅が、前記ショルダーガード面の内側幅より小さいことを特徴とする請求項１から請求項３までのいずれか１項に記載の子供用椅子。
【請求項５】
前記ヘッドカード面と前記ショルダーガード面に、衝撃を吸収するための複数の衝撃吸収部材が着脱可能に装着されていることを特徴とする請求項１から請求項４までのいずれか１項に記載の子供用椅子。
【請求項６】
請求項１から請求項５までのいずれか１項に記載の子供用椅子がサドルの後方に取り付けられていることを特徴とする二輪車。
【発明の詳細な説明】
【技術分野】
【０００１】
本発明は、二輪車に取り付けられ、子供が着座可能な子供用椅子、及びこの子供用椅子を備えた二輪車に関するものである。
【背景技術】
【０００２】
従来から、サドルの前方又は後方に子供が着座可能な子供用椅子を備えた二輪車が提案されている。
【０００３】
この子供用椅子では、背凭れ部の上部に、子供の頭部を保護するヘッドレストが設けられている。このヘッドレストは、子供の成長や異なる身長の子供の体格に合わせて上下方向に移動させ、クランプ部材を介してネジとナットで締結することで、ヘッドレストの高さが調整可能となっている（特許文献１を参照）。
【０００４】
しかし、子供の頭部の位置に合わせてヘッドレストの高さを調整しても、肩部など他の身体の部位を保護することができない。特に、肩部は頭部より両側に突出しているため、転倒時にヘッドレストで頭部の後方を保護できても、頭部の側方や肩部を保護することができない。
【０００５】
一方、子供の背中が当たるスライド背当をバケットに対して上方に引き上げて固定可能としたベビーバケットが提案されている（特許文献２を参照）。
【０００６】
また、子供の背中が当たる上部支持枠を下部支持枠に対して上下動自在に取付け、子供の成長に合わせて上部支持枠を上方に動かし、上部支持枠を下部支持枠に締め付けボルトで固定した子供椅子が提案されている（特許文献３を参照）。
【０００７】
このような特許文献２、３に記載の構成では、スライド背当又は上部支持枠を上方に動かして固定することで、子供の背面や腰部付近を保護することができるが、子供の肩部や頭部を保護することができない。特に、転倒時に子供の上半身が動いてしまうため、怪我の原因となり、十分な安全性を確保することができない。
【特許文献１】実用新案登録第３０５８８４２号公報
【特許文献２】実開昭５２−７９６６１号公報
【特許文献３】特開平９−１３６６８２号公報
【発明の開示】
【発明が解決しようとする課題】
【０００８】
本発明は、上記問題点に鑑みてなされたものであり、子供の成長や異なる身長の子供に合わせて肩部や頭部を保護することができ、安全性を確保できる子供用椅子及び二輪車を提供することを目的とする。
【課題を解決するための手段】
【０００９】
上記課題を解決するために、請求項１に記載の発明は、二輪車に取り付けられる子供用椅子であって、着座可能な椅子本体と、前記椅子本体に設けられたレール部に沿って上下方向にスライド可能に設けられ、両サイドが前方に湾曲しながら突出する翼部で肩部を保護するショルダーガード部と、前記ショルダーガード部の上方で頭部を保護するヘッドガード部とを備えたガード本体と、前記ガード本体を上下方向にスライドさせて前記レール部の所定の位置で固定する高さ調整機構と、を有すると共に、前記ヘッドガード部の内側に形成されたヘッドガード面が、前記ショルダーガード部の内側に形成されたショルダーガード面より後退していることを特徴としている。
【００１０】
請求項１に記載の発明では、二輪車に椅子本体が取り付けられており、両サイドが前方に湾曲しながら突出する翼部で肩部を保護するショルダーガード部とその上方で頭部を保護するヘッドガード部とを備えたガード本体が、椅子本体のレール部に沿って上下方向にスライド可能に構成されている。ガード本体を上下方向にスライドさせ、高さ調整機構によってガード本体をレール部の所定の位置で固定することで、子供の成長や身長に合わせて、ショルダーガード部とヘッドガード部を適切な高さに調整することが可能となる。これにより、子供の体格に合わせて肩部や頭部を保護することができ、走行時や転倒時に子供の上半身が動きにくく、安全性を確保することが可能となる。
また、ヘッドガード部の内側に形成されたヘッドガード面が、ショルダーガード部の内側に形成されたショルダーガード面より後退しているので、子供がヘルメットを着用した状態で着座しても、後頭部と肩部の背面の納まりがよく、後頭部がヘッドガード面に押されて首が先方に傾くような不自然な姿勢になりにくい。このため、ヘルメットを着用した状態で頭部と肩部を適切に保護することが可能となり、安全性を確保することができる。
【００１１】
請求項２に記載の発明は、請求項１に記載の子供用椅子において、前記椅子本体の中央部に形成された前記レール部と前記椅子本体の側面部の両端部に、前記ガード本体を前記椅子本体に対してスライド方向に案内するスライド案内部を備えることを特徴としている。
【００１２】
請求項２に記載の発明では、椅子本体の中央部に形成されたレール部と、椅子本体の側面部の両端部にスライド案内部が設けられている。これにより、ガード本体は、ショルダーガード部の中央部と翼部の両端部の少なくとも３箇所で椅子本体に対してスライド方向に案内されるので、ガード本体をスムーズに上下方向にスライドすることが可能となり、ガード本体のガタツキが抑制される。また、ガード本体を中央部と翼部の両端部の３箇所のスライド案内部によって案内することで、椅子本体に対するガード本体の係止が不安定になったり、ガード本体が傾いて係止されることが防止される。
【００１３】
請求項３に記載の発明は、請求項２に記載の子供用椅子において、前記スライド案内部は、前記椅子本体又は前記ガード本体の一方に設けられ、前記ガード本体のスライド方向に形成されたスライド孔と、前記椅子本体又は前記ガード本体の他方に設けられ、前記スライド孔に移動可能に係止されるガイドピンと、を有することを特徴としている。
【００１４】
請求項３に記載の発明では、スライド案内部は、椅子本体又はガード本体の一方に設けられたスライド孔と、椅子本体又はガード本体の他方に設けられたガイドピンとを備えており、ガード本体は、ガイドピンがスライド孔に係止された状態で移動する。これにより、ガード本体を椅子本体に対してスムーズにスライドさせることが可能となる。また、ガード本体を椅子本体に対してガイドピンとスライド孔によって少なくとも３箇所で係止することで、ガード本体のガタツキが抑制され、ガード本体の係止が不安定になったり、ガード本体が傾いて係止されることが防止される。
【００１７】
請求項４に記載の発明は、請求項１から請求項３までのいずれか１項に記載の子供用椅子において、前記ヘッドガード面の内側幅が、前記ショルダーガード面の内側幅より小さいことを特徴としている。
【００１８】
請求項４に記載の発明では、ヘッドガード面の内側幅がショルダーガード面の内側幅より小さいので、頭部の寸法と肩部の寸法に合致しやすく、ヘッドガード部内やショルダーガード部内で頭部や肩部が動きにくい。このため、頭部や肩部を適切に保護することが可能となり、安全性を確保することができる。
【００１９】
請求項５に記載の発明は、請求項１から請求項４までのいずれか１項に記載の子供用椅子において、前記ヘッドカード面と前記ショルダーガード面に、衝撃を吸収するための複数の衝撃吸収部材が着脱可能に装着されていることを特徴としている。
【００２０】
請求項５に記載の発明では、ヘッドカード面とショルダーガード面に複数の衝撃吸収部材が着脱可能に装着されており、肩部や頭部が衝撃吸収部材によって保護される。このため、走行時や転倒時により確実に安全性を確保することができる。
【００２３】
請求項６に記載の発明に係る二輪車は、請求項１から請求項５までのいずれか１項に記載の子供用椅子がサドルの後方に取り付けられていることを特徴としている。
【００２４】
請求項６に記載の発明では、請求項１から請求項５までのいずれか１項に記載の子供用椅子がサドルの後方に取り付けられており、子供が椅子本体に着座したとき、頭部と肩部がヘッドカード部とショルダーガード部によって保護される。これにより、ライダーの後方で子供が見えない状態でも、走行時や転倒時に頭部と肩部の安全性を確保することができる。
【発明の効果】
【００２５】
本発明によれば、子供の成長や異なる身長の子供の体格に合わせてガード本体を上下方向にスライドさせて固定することで、最適な位置で肩部や頭部を保護することができ、走行時や転倒時の安全性を確保することができる。
【発明を実施するための最良の形態】
【００２６】
以下、本発明の子供用椅子及び二輪車における実施の形態を図面に基づいて説明する。
【００２７】
図１には、本発明の一実施形態である子供用椅子１０が取り付けられた二輪車２の後方部が示されている。二輪車２のサドル４の後方に荷台６が設けられ、この荷台６上に子供用椅子１０の椅子本体１２が図示しない取り付け金具によって固定支持されている。
【００２８】
図２及び図３に示すように、子供用椅子１０は、腰部及び尻部の後方部と両サイドを囲むように湾曲して形成された椅子本体１２を備えており、子供が着座可能となっている。椅子本体１２の前面側の上方部には、肩部を保護するショルダーガード部１４と、このショルダーガード部１４の上方で頭部を保護するヘッドガード部１６とが一体に形成されたガード本体１８が、椅子本体１２と一部が重なり合うように配設されている。また、椅子本体１２の前方には、子供の前方側をガードするように掛け渡されたハンドルバー２０が設けられ、ハンドルバー２０は一端部を支点として他端部が開閉可能となっている。また、椅子本体１２の下側には、足を載置可能な２つのステップ部２２が設けられている。
【００２９】
図４に示すように、椅子本体１２の中央部には凹状のレール部１２Ａが上下方向に形成されており、ショルダーガード部１４の背面側には、レール部１２Ａに挿入される凸状の摺動部１４Ａが形成されている。そして、レール部１２Ａに沿って摺動部１４Ａが移動することで、ガード本体１８が椅子本体１２に対して上下方向にスライド可能となっている。
【００３０】
ショルダーガード部１４は、子供の背面に沿って両サイドが前方に湾曲しながら突出する翼部１４Ｂを備えており、この翼部１４Ｂの背面側を覆うように椅子本体１２の両サイドが延設されて側面部１３が設けられている。図２及び図６に示すように、翼部１４Ｂと対向する椅子本体１２の側面部１３の両端部には、ガード本体１８のスライド方向に長円形状のスライド孔１２Ｂが形成されている（図２及び図６では手前側のみ図示）。このスライド孔１２Ｂには、翼部１４Ｂに突設されたガイドピン１４Ｃが上下方向にスライド可能に係止されている。また、椅子本体１２のレール部１２Ａの両側部には、ガード本体１８のスライド方向に長円形状のスライド孔１２Ｃが形成されている（図２及び図６では手前側のみ図示）。このスライド孔１２Ｃには、摺動部１４Ａに設けられたガイドピン１４Ｃが上下方向にスライド可能に係止されている。これにより、ガード本体１８は、ガイドピン１４Ｃによって中央部の２箇所と両サイドの２箇所の計４箇所でスライド孔１２Ｂ、１２Ｃに案内されながら、上下方向にスライドする。図５及び図６に示すように、ガード本体１８は、ガイドピン１４Ｃがスライド孔１２Ｂ、１２Ｃの上部に移動した最上部の位置と、ガイドピン１４Ｃがスライド孔１２Ｂ、１２Ｃの下部に移動した最下部の位置との間をスライド可能となっている。
【００３１】
また、図５及び図６に示すように、子供用椅子１０には、ガード本体１８を上下方向にスライドさせてレール部１２Ａの所定の位置で固定する高さ調整装置３０が設けられている。図２に示すように、高さ調整装置３０には、ガード本体１８の摺動部１４Ａの椅子本体１２と反対側に上下方向に複数形成された係合凹部３２と、この係合凹部３２と対向する位置（ガード本体１８の前方側）に配設される押し当て部材３４とが設けられている。また、椅子本体１２の背面側には、回転軸３６Ａを備えた調整ノブ３６が設けられている。回転軸３６Ａは椅子本体１２の開孔１２Ｄとガード本体１８の長孔１４Ｄと押し当て部材３４の開孔３４Ａに挿通されており、回転軸３６Ａの先端には、径方向に突出した２つの突起部３８Ａを有する抜止め部材３８がネジ止めされている（図９参照）。
【００３２】
図７に示すように、押し当て部材３４のガード本体１８側には、回転軸３６Ａが挿通される開孔３４Ａの両側に、剛性凸部３４Ｂが押し当て部材３４に対し剛的に設けられている。また、剛性凸部３４Ｂの両側には、Ｕ字状に形成された弾性変形可能な支持腕３３の先端に弾性凸部３４Ｃが設けられている。支持腕３３はＵ字状に形成され、弾性凸部３４Ｃとは逆側の端部で押し当て部材３４と結合しているので、弾性凸部３４Ｃは、Ｕ字状の支持腕３３が弾性変形することでその位置を変えることができる。また、図７（Ｃ）に示すように、剛性凸部３４Ｂは、弾性凸部３４Ｃよりも突出量が小さく形成されている。図８に示すように、これらの剛性凸部３４Ｂと弾性凸部３４Ｃは、ガード本体１８に形成された係合凹部３２に係合可能となっている。
【００３３】
図７（Ｄ）に示すように、押し当て部材３４の前方側（ガード本体１８と反対側）には、開孔３４Ａの円周方向に沿って２つの傾斜面３５が形成され、２つの傾斜面３５が突出部３４Ｅで仕切られている。図９に示すように、傾斜面３５に抜止め部材３８の突起部３８Ａが当接しながら回動可能となっている。傾斜面３５の一端側には、押し当て部材３４の肉厚を大きくした厚肉部からなるロック部３５Ａが形成され、傾斜面３５の他端側には、押し当て部材３４の肉厚を小さくした薄肉部からなるロック解除部３５Ｂが形成されている。そして、調整ノブ３６の回転操作により、抜止め部材３８の突起部３８Ａがロック部３５Ａとロック解除部３５Ｂとの間を回動する。突出部３４Ｅは、突起部３８Ａの移動を止めるストッパーとなっている。突出部３４Ｅを設けることで、調整ノブ３６の回転範囲における両端が、ロック部３５Ａとロック解除部３５Ｂに限定されるので、調整ノブ３６を確実に操作することができる。
【００３４】
図８に示すように、係合凹部３２は、略Ｖ字面とされ、上下方向の傾斜面３２Ａ、３２Ｂが略Ｖ字面の谷部を結んだ面に対して異なる角度となっている。ここで、図８（Ｂ）に示すように、ガード本体１８の略Ｖ字面の谷部を結んだ面に対して直交する方向の直線とＶ字面の上方側の傾斜面３２Ａとの角度をθ（Ａ）、ガード本体１８の略Ｖ字面の谷部を結んだ面に対して直交する方向の直線とＶ字面の下方側の傾斜面３２Ｂとの角度をθ（Ｂ）とする。このとき、Ｖ字面の上方側の傾斜面３２Ａ、すなわちガード本体１８を下降させる方向の傾斜面３２Ａと、Ｖ字面の下方側の傾斜面３２Ｂ、すなわちガード本体１８を上昇させる方向の傾斜面３２Ｂは、傾斜面３２Ａの角度θ（Ａ）が傾斜面３２Ｂの角度θ（Ｂ）より小さくなるように形成される。
【００３５】
図１０に示すように、ショルダーガード部１４の内側には、中央部に装着されるクッション４４Ａと、両サイドの翼部１４Ｂに装着されるクッション４４Ｂが設けられている。これらのクッション４４Ａ、４４Ｂは、内部に発泡性ポリウレタンなどの弾性体が装填された衝撃吸収部材であり、ショルダーガード部１４の内側面に図示しないマジックテープ（登録商標）によって着脱可能に装着される。また、ヘッドガード部１６の内側には、中央部に装着されるクッション４６Ａと、両サイドに装着されるクッション４６Ｂが設けられている。これらのクッション４６Ａ、４６Ｂは、ヘッドガード部１６の内側面に図示しないマジックテープ（登録商標）によって着脱可能に装着される。これによって、自転車２が転倒した際に、肩部や頭部の衝撃を吸収することができる。
【００３６】
また、ヘッドガード部１６の内側幅は、ショルダーガード部１４の内側幅よりも小さく形成されており、子供の頭部と肩部の幅に合致しやすい形状となっている。これによって、ヘッドガード部１６内で頭部が、ショルダーガード部１４内で肩部が動きにくくなり、頭部や肩部を適切に保護することができる。
【００３７】
その際、図１に示すように、子供が椅子本体１２に着座したときに、頭部の頂部がヘッドガード部１６にほぼ納まり、肩部の上部がショルダーガード部１４の上端部よりも下方に納まるようにガード本体１８の高さを調整することで、頭部や肩部を適切に保護することができる。
【００３８】
図１１に示すように、ヘッドガード部１６の内側面はショルダーガード部１４の内側面よりも後退しており、クッション４４Ａの表面がクッション４６Ａの表面よりも後退している。これによって、子供がヘルメットを着用した状態で子供用椅子１０に着座しても、後頭部と肩部の背面の納まりがよく、後頭部がクッション４６Ａに押されて首が先方に傾くような不自然な姿勢になりにくい。このため、ヘッドガード部１６とショルダーガード部１４によって頭部と肩部を適切に保護することが可能となり、安全性を確保することができる。
【００３９】
次に、上記のような構成の子供用椅子１０の作用について説明する。
【００４０】
図８に示すように、調整ノブ３６の回転操作により回転軸３６Ａを固定方向に回転すると、図９（Ａ）に示すように、抜止め部材３８の突起部３８Ａが押し当て部材３４の傾斜面３５を摺動して厚肉部であるロック部３５Ａに移動する。この状態では、図１２に示すように、調整ノブ３６と押し当て部材３４との距離が縮まり、剛性凸部３４Ｂと弾性凸部３４Ｃが係合凹部３２に係合されると共に、調整ノブ３６と押し当て部材３４との間で椅子本体１２とガード本体１８とが挟持される。これにより、ガード本体１８が椅子本体１２に固定される。
【００４１】
一方、ガード本体１８の高さを調整する際には、調整ノブ３６の回転操作により回転軸３６Ａを開放方向に回転する。すると、図９（Ｂ）に示すように、抜止め部材３８の突起部３８Ａが押し当て部材３４の傾斜面３５を摺動して薄肉部であるロック解除部３５Ｂに移動する。その際、厚肉部であるロック部３５Ａと薄肉部であるロック解除部３５Ｂが傾斜面３５でつながっているので、抜止め部材３８の移動がスムーズになる。
【００４２】
この状態では、図１３に示すように、調整ノブ３６と押し当て部材３４との距離が広がり、剛性凸部３４Ｂと係合凹部３２との係合が完全に外れると共に、弾性凸部３４Ｃが係合凹部３２と係合している。すなわち、弾性凸部３４Ｃと係合凹部３２との係合が外れないので、ガード本体１８が自重でずり落ちることを防止することができる。
【００４３】
また、厚肉部であるロック部３５Ａと薄肉部であるロック解除部３５Ｂとの間に突出部３４Ｅを設けることで、調整ノブ３６の回転範囲における両端が、ロック部３５Ａとロック解除部３５Ｂに限定されるので、調整ノブ３６を確実に操作することができる。
【００４４】
ガード本体１８を椅子本体１２のレール部１２Ａに沿って上下方向にスライドさせると、弾性凸部３４Ｃの弾性変形により係合凹部３２との係合が外れて次の係合凹部３２に係合され、これを繰り返しながらガード本体１８が上下方向にスライドする。その際、係合凹部３２は、ガード本体１８を下降させる方向の傾斜面３２Ａの角度θ（Ａ）が小さく形成されているため、ガード本体１８を下降させるときは係合凹部３２に係合された弾性凸部３４Ｃが抜けにくい。このため、ガード本体１８が自重でずり落ちることをより確実に防止することができる。また、係合凹部３２は、ガード本体１８を上昇させる方向の傾斜面３２Ｂの角度θ（Ｂ）が大きく形成されているため、ガード本体１８を上昇させるときは係合凹部３２に係合された弾性凸部３４Ｃが抜けやすい。このため、ガード本体１８を軽い力で上昇させることができる。
【００４５】
図５及び図６に示すように、ガード本体１８を所望の位置にスライドさせ、調整ノブ３６の回転操作により回転軸３６Ａを固定方向に回転すると、剛性凸部３４Ｂと弾性凸部３４Ｃが係合凹部３２に係合されると共に、調整ノブ３６と押し当て部材３４との間で椅子本体１２とガード本体１８とが挟持され、ガード本体１８が椅子本体１２に固定される。これにより、簡単な操作によってガード本体１８の高さを調整することができる。
【００４６】
その際、図６に示すように、ガード本体１８は、中央部付近の２箇所と両サイドの２箇所の計４箇所で、ガイドピン１４Ｃがスライド孔１２Ｂ、１２Ｃに係止された状態でスライドする。このため、ガード本体１８を椅子本体１２に対してスムーズにスライドさせることが可能となり、ガード本体１８のガタツキを抑制できる。さらに、椅子本体１２に対してガード本体１８の係止が不安定になったり、ガード本体１８が傾いて係止されることを防止できる。
【００４７】
このように、ガード本体１８を椅子本体１２に対して上下方向にスライドさせることにより、子供の成長や異なる身長の子供の体格に合わせてショルダーガード部１４とヘッドガード部１６を適切な高さに調整することができる。これにより、子供の体格に合わせて肩部や頭部が適切に保護され、子供の上半身が動きにくくなり、走行時や転倒時に安全性を確保することができる。
【００４８】
なお、上記実施形態では、ガード本体１８は、中央部付近の２箇所と両サイドの２箇所の計４箇所で、ガイドピン１４Ｃがスライド孔１２Ｂ、１２Ｃに係止された状態でスライドする構成であったが、この構成に限定するものではない。例えば、ガード本体１８は、中央部付近の１箇所と両サイドの２箇所の計３箇所で、ガイドピンがスライド孔に係止された状態でスライドする構成でもガード本体１８を椅子本体１２に対してスムーズにスライドさせることが可能である。
【００４９】
なお、上記実施形態では、ガード本体１８に形成されたガイドピン１４Ｃが、椅子本体１２に形成されたスライド孔１２Ｂ、１２Ｃに係止されることで、ガード本体１８がスライド方向に案内されたが、この構成に限定するものではない。例えば、ガード本体１８にスライド孔を形成し、椅子本体１２にガイドピンを設けてもよい。また、スライド孔とガイドピンに限定するものではなく、スライド溝と係合突起など、スライド方向に案内される構成であれば適宜に設定できる。
【００５０】
なお、上記実施形態では、押し当て部材３４に剛性凸部３４Ｂと弾性凸部３４Ｃが形成され、ショルダーガード部１４に係合凹部３２が形成されていたが、この構成に限定するものではない。例えば、押し当て部材３４に係合凹部を形成し、ショルダーガード部１４に剛性凸部と弾性凸部を形成する構成でもよい。
【００５１】
なお、上記実施形態では、高さ調整装置３０は、上記構成に限らず、ガード本体１８を椅子本体１２に対して上下方向にスライドさせて任意の位置で固定できる構造であれば、他の構成も適用可能である。
【図面の簡単な説明】
【００５２】
【図１】本発明の一実施形態である子供用椅子をサドルの後方に取り付けた二輪車の後方部を示す側面図である。
【図２】本発明の一実施形態である子供用椅子の斜視図であって、高さ調整装置を分解した斜視図である。
【図３】本発明の一実施形態である子供用椅子の正面図である。
【図４】図３に示す子供用椅子のＨ−Ｈ線における断面図である。
【図５】本発明の一実施形態である子供用椅子のガード本体を上下方向にスライドさせた状態を示す正面図である。
【図６】本発明の一実施形態である子供用椅子のガード本体を上下方向にスライドさせた状態を示す側面図である。
【図７】図２に示す高さ調整装置の押し当て部材を示す構成図であって、（Ａ）は背面側の斜視図、（Ｂ）は側面図、（Ｃ）は断面図、及び（Ｄ）は前方側の斜視図である。
【図８】図５に示す子供用椅子のＧ−Ｇ線における断面図である。
【図９】図２に示す高さ調整装置の押し当て部材に係合回転体を取り付けた状態を示す斜視図であって、（Ａ）は突起部をロック部に回動した状態、（Ｂ）は突起部をロック解除部に回動した状態を示す図である。
【図１０】子供用椅子のショルダーガード部とヘッドガード部にクッションを装着した状態を示す斜視図である。
【図１１】子供用椅子のショルダーガード部とヘッドガード部にクッションを装着した状態を示す断面図である。
【図１２】調整ノブを固定方向に回転したとき、剛性凸部と弾性凸部が係合凹部に係合し、ガード本体が椅子本体に固定された状態を示す一部拡大断面図である。
【図１３】調整ノブを開放方向に回転したとき、剛性凸部と係合凹部との係合が外れると共に弾性凸部が係合凹部を押圧し、ガード本体が椅子本体に対してスライド可能となった状態を示す一部拡大断面図である。
【符号の説明】
【００５３】
２     二輪車
４     サドル
６     荷台
１０   子供用椅子
１２   椅子本体
１２Ａ レール部
１２Ｂ スライド孔
１２Ｃ スライド孔
１２Ｄ 開孔
１３   側面部
１４   ショルダーガード部
１４Ａ 摺動部
１４Ｃ ガイドピン
１４Ｂ 翼部
１４Ｄ 長孔
１６   ヘッドガード部
１８   ガード本体
３０   高さ調整装置（高さ調整機構）
３２   係合凹部
３２Ａ 傾斜面
３２Ｂ 傾斜面
３４   押し当て部材
３４Ａ 開孔
３４Ｂ 剛性凸部
３４Ｃ 弾性凸部
３４Ｅ 突出部
３５   傾斜面
３５Ａ ロック部
３５Ｂ ロック解除部
３６   調整ノブ
３６Ａ 回転軸
３８   抜止め部材
３８Ａ 突起部
４４Ａ クッション（衝撃吸収部材）
４４Ｂ クッション（衝撃吸収部材）
４６Ａ クッション（衝撃吸収部材）
４６Ｂ クッション（衝撃吸収部材）
【図１】
0004810300.tif 000002
【図２】
0004810300.tif 000003
【図３】
0004810300.tif 000004
【図４】
0004810300.tif 000005
【図５】
0004810300.tif 000006
【図６】
0004810300.tif 000007
【図７】
0004810300.tif 000008
【図８】
0004810300.tif 000009
【図９】
0004810300.tif 000010
【図１０】
0004810300.tif 000011
【図１１】
0004810300.tif 000012
【図１２】
0004810300.tif 000013
【図１３】
0004810300.tif 000014